(57)【要約】【課題】天板により上部開口形の水切り収納部を開閉し、天板で水切り収納部を閉塞することで従来のワゴンとして使用できると共に、水切り収納保管ボックスとして利用でき、高さ調整も可能な極めて実用性に優れた画期的な水切りワゴンを提供すること。【解決手段】上部に物を載置できる天板部１を設けると共に下部に移動用のキャスター部２を設けたワゴン本体３に天板部１により開閉自在に構成し、上部開口形の水切収納部４を設け、この上部開口形の水切収納部４を昇降自在に設けた水切りワゴン。【選択図】図１
2009297357.tif 000002
【特許請求の範囲】
【請求項１】
上部に物を載置できる天板部を設けると共に下部に移動用のキャスター部を設けたワゴン本体に収納部を設け、前記収納部を上部開口形収納部とし、この上部開口部を前記天板部で開閉自在に閉塞した構成として前記上部開口形収納部を前記天板部により開閉自在に構成し、この上部開口形収納部内に水切部若しくは水切カゴ部を設けて、前記上部開口形収納部を上部開口部から洗浄した器物を収納する上部開口形の水切収納部に構成し、この上部開口形の水切収納部を昇降自在に設けて、この収納部及び天板部の高さを昇降調整自在に構成したことを特徴とする水切りワゴン。
【請求項２】
前記天板部により前記上部開口部を開閉自在に閉塞した前記上部開口形の水切収納部の底部に集水部を取り出し自在に設けて、前記上部開口形の水切収納部で水切りした水を集水して取り出し排出し得るように構成したことを特徴とする請求項１記載の水切りワゴン。
【請求項３】
前記ワゴン本体に設けた昇降ガイド部に沿って鉛直方向に前記上部開口形の水切収納部を昇降調整自在に設けて前記天板部の高さを調整自在に構成し、この天板部の高さを調整する昇降調整範囲は少なくとも流し台のシンク下スペースに収納できる高さから前記シンク脇の流し台上面と略同一となる高さまで調整し得るように構成したことを特徴とする請求項１，２のいずれか１項に記載の水切りワゴン。
【請求項４】
前記キャスター部を設けたベース部に昇降ガイド部を立設し、この昇降ガイド部に沿って前記上部開口形の水切収納部を昇降自在に設けてこの収納部及び前記天板部の高さを調整自在に構成し、前記ベース部に前記収納部を押し上げ付勢するシリンダ装置を設け、前記収納部の外部に設けた操作部を操作して前記シリンダ装置の押し上げ付勢ロック機構を解除させることで前記収納部を押し上げ付勢しこの付勢力により若しくはこの付勢力を助力として持ち上げることにより収納部を上昇させ、この付勢力に抗して自重により若しくは押し下げることにより収納部を下降させ前記操作部の操作により若しくは操作を止めることにより前記押し上げ勢ロック機構によって昇降位置が固定される昇降機構を備えたことを特徴とする請求項１〜３のいずれか１項に記載の水切りワゴン。
【請求項５】
前記上部開口形の水切収納部を押し上げ付勢する昇降機構として設けたシリンダ装置の昇降ロッドの昇降ストロークを増大させる昇降ストローク増大機構を前記昇降機構に設けたことを特徴とする請求項１〜４のいずれか１項に記載の水切りワゴン。
【請求項６】
前記上部開口形の水切収納部とは別に第二水切収納部を前記ワゴン本体に設け、前記上部開口形の水切収納部の底部に取り出し自在に設けた集水部を前記ワゴン本体の集水部として共用した構成としたことを特徴とする請求項１〜５のいずれか１項に記載の水切りワゴン。
【請求項７】
前記上部開口形の水切収納部とは別に第二水切収納部を前記ワゴン本体に設け、この第二水切収納部を下部を支点に側部外方へ傾動自在に設けると共に、この側部外方への傾動により上部が開口する傾動開閉形の第二水切収納部として、前記上部開口形の水切収納部に並設したことを特徴とする請求項１〜６のいずれか１項に記載の水切りワゴン。
【発明の詳細な説明】
【技術分野】
【０００１】
本発明は、例えば流し台シンクで洗浄した食器などの器物を収納して水切り保管し、これを例えば食器棚へ移動し拭くなどして棚に収める水切りワゴンに関するものである。
【背景技術】
【０００２】
天板に鍋や食器やボトルなどを置いてキャスター部を利用して流し台や棚からテーブルなどへ移動可能なキッチンワゴンは広く普及している。
【０００３】
また、このワゴン本体の上部を下部に対して昇降させて天板の高さを調整できるようにしたキッチンワゴンも提案されている。
【０００４】
しかし、単に天板に食器などを載せて移動させるのではなく、水切り機能を持たせたワゴンは普及していない。
【発明の開示】
【発明が解決しようとする課題】
【０００５】
本発明は、水切りワゴンを実現させるものであって、しかも天板により上部開口形の水切り収納部を開閉し、天板で水切り収納部を閉塞することで従来のワゴンとして使用できると共に、水切り収納保管ボックスとして利用でき、更に単なる水切りボックスでなくキャスター部により自由に移動できるため、流し台で水切り収納し、食器棚やテーブル近くで拭きながら棚へ収納したりテーブルセット作業もでき、更に例えば流し台の高さ、食器棚やテーブルの高さ若しくは使用者の身長や姿勢に応じて出し入れ作業し易い高さに調整可能な、又は例えばシンク下などへの収納時にはこれに納まる高さに高さ調整可能な極めて実用性に優れた画期的な水切りワゴンを提供することを目的としている。
【課題を解決するための手段】
【０００６】
添付図面を参照して本発明の要旨を説明する。
【０００７】
上部に物を載置できる天板部１を設けると共に下部に移動用のキャスター部２を設けたワゴン本体３に収納部４を設け、前記収納部４を上部開口形収納部４とし、この上部開口部５を前記天板部１で開閉自在に閉塞した構成として前記上部開口形収納部４を前記天板部１により開閉自在に構成し、この上部開口形収納部４内に水切部６若しくは水切カゴ部７を設けて、前記上部開口形収納部４を上部開口部５から洗浄した器物を収納する上部開口形の水切収納部４に構成し、この上部開口形の水切収納部４を昇降自在に設けて、この収納部４及び天板部１の高さを昇降調整自在に構成したことを特徴とする水切りワゴンに係るものである。
【０００８】
また、前記天板部１により前記上部開口部５を開閉自在に閉塞した前記上部開口形の水切収納部４の底部に集水部８を取り出し自在に設けて、前記上部開口形の水切収納部４で水切りした水を集水して取り出し排出し得るように構成したことを特徴とする請求項１記載の水切りワゴンに係るものである。
【０００９】
また、前記ワゴン本体３に設けた昇降ガイド部９に沿って鉛直方向に前記上部開口形の水切収納部４を昇降調整自在に設けて前記天板部１の高さを調整自在に構成し、この天板部１の高さを調整する昇降調整範囲は少なくとも流し台10のシンク11下スペース12に収納できる高さから前記シンク11脇の流し台10上面と略同一となる高さまで調整し得るように構成したことを特徴とする請求項１，２のいずれか１項に記載の水切りワゴンに係るものである。
【００１０】
また、前記キャスター部２を設けたベース部13に昇降ガイド部９を立設し、この昇降ガイド部９に沿って前記上部開口形の水切収納部４を昇降自在に設けてこの収納部４及び前記天板部１の高さを調整自在に構成し、前記ベース部13に前記収納部４を押し上げ付勢するシリンダ装置14を設け、前記収納部４の外部に設けた操作部15を操作して前記シリンダ装置14の押し上げ付勢ロック機構を解除させることで前記収納部４を押し上げ付勢しこの付勢力により若しくはこの付勢力を助力として持ち上げることにより収納部４を上昇させ、この付勢力に抗して自重により若しくは押し下げることにより収納部４を下降させ前記操作部15の操作により若しくは操作を止めることにより前記押し上げ勢ロック機構によって昇降位置が固定される昇降機構16を備えたことを特徴とする請求項１〜３のいずれか１項に記載の水切りワゴンに係るものである。
【００１１】
また、前記上部開口形の水切収納部４を押し上げ付勢する昇降機構16として設けたシリンダ装置14の昇降ロッド20の昇降ストロークを増大させる昇降ストローク増大機構17を前記昇降機構16に設けたことを特徴とする請求項１〜４のいずれか１項に記載の水切りワゴンに係るものである。
【００１２】
また、前記上部開口形の水切収納部４とは別に第二水切収納部18を前記ワゴン本体３に設け、前記上部開口形の水切収納部４の底部に取り出し自在に設けた集水部８を前記ワゴン本体３の集水部８として共用した構成としたことを特徴とする請求項１〜５のいずれか１項に記載の水切りワゴンに係るものである。
【００１３】
また、前記上部開口形の水切収納部４とは別に第二水切収納部18を前記ワゴン本体３に設け、この第二水切収納部18を下部を支点に側部外方へ傾動自在に設けると共に、この側部外方への傾動により上部が開口する傾動開閉形の第二水切収納部18として、前記上部開口形の水切収納部４に並設したことを特徴とする請求項１〜６のいずれか１項に記載の水切りワゴンに係るものである。
【発明の効果】
【００１４】
本発明は上述のように構成したから、天板により上部開口形の水切り収納部を開閉し、天板で水切り収納部を閉塞することで従来のワゴンとして使用できると共に、水切り収納保管ボックスとして利用でき、更に単なる水切りボックスでなくキャスター部により自由に移動できるため、流し台で水切り収納し、食器棚やテーブル近くで拭きながら棚へ収納したりテーブルセット作業もでき、更に例えば流し台の高さ、食器棚やテーブルの高さ若しくは使用者の身長や姿勢に応じて出し入れ作業し易い高さに調整可能な、又は例えばシンク下などへの収納時にはこれに納まる高さに高さ調整可能な極めて実用性に優れた画期的な水切りワゴンとなる。
【００１５】
また、請求項２記載の発明においては、水切りした水の集排水も容易となり、また、請求項３記載の発明においては、更に前述のように高さを低くしてシンク下スペースに収納することもでき、不使用時あるいは長時間水切り保管する際に場所をとらずに保管できる一層実用性に優れた画期的な水切りワゴンとなる。
【００１６】
また、請求項４記載の発明においては、簡易な構成且つ簡易な操作で昇降調整できる昇降機構を実現でき、一層実用性に優れた画期的な水切りワゴンとなる。
【００１７】
また、請求項５記載の発明においては、昇降機構のシリンダ装置の昇降ロッドの昇降ストロークを増大させる昇降ストローク増大機構を備えたので、簡易な構成で小さなストロークのスペースを取らないシリンダ装置を用いても、昇降調整範囲を大きく取れ、例えばシンク下スペースに収納できる高さの低い状態から流し台と略面一となる高さ位置まで昇降できることとなる極めて画期的な水切りワゴンとなる。
【００１８】
また、請求項６，７記載の発明においては、水切収納部とは別に第二水切収納部を設けたから、例えば水切収納部には食器などを水切り保管し、第二水切収納部には廃棄あるいは再利用するがその前に水切りしたいペットボトルやトレーなどを食器とは分離して水切りしながら物を保管でき、特に請求項６記載の発明においては、この水切収納部及び第二水切収納部で水を集水部に集水して取り出し排出でき、また、請求項７記載の発明においては、水切収納部と第二水切収納部との出し入れ口とが別となり、またスペース効率良く配設できる一層優れた水切りワゴンとなる。
【発明を実施するための最良の形態】
【００１９】
好適と考える本発明の実施形態（発明をどのように実施するか）を、図面に基づいて本発明の作用を示して簡単に説明する。
【００２０】
天板部１を開放すると、上部開口形の水切収納部４の上部開口部５は開口し、この上部開口部５から器物を収納して水切り保管する。
【００２１】
天板部１を閉塞すると、例えば外から見えなかったり見えずらくなるなど体裁良く器物を水切り保管できることとなる。また天板部１には従来通り物を載置できる。
【００２２】
そして自由に移動でき、流し台10で水切り収納作業ができ、これを移動して食器棚近くで取り出し収納作業やテーブル近くでテーブルセット作業が行え、収納場所への移動も容易となる。
【００２３】
しかもこの収納部４及び天板部１は昇降自在で高さ調整自在であるから、器物を収納部４に出し入れする作業がし易い高さに調整できる。
【００２４】
例えば、流し台10のシンク11で食器を洗ってこれを上部開口形の水切収納部４に水切り収納作業する場合は、その高さをこの流し台10上面と略同じ高さに調整するなどして作業のし易い高さに位置させる。
【００２５】
水切り後、これを拭くなどしながら食器棚に収納したり、テーブルにセットする場合もこれら作業がし易い高さに調整できる。
【００２６】
もちろん使う人の身長や立って行うか座って行うかなど作業時の姿勢に応じて高さ調整可能となり、また不使用時や長期水切り保管時などの収納時には低くでき、例えばシンク11下のスペース12に収納できる高さまで低くできるように構成すれば、更に収納し易いこととなる。
【００２７】
このように本発明は、作業時や収納時に応じて高さ調整でき、作業場所へ自由に水切収納部４を移動でき、また通常通り天板部１に物を置いて移動するワゴンとして使用しつつその下に器物を水切収納し、水切り保管できることとなり、極めて実用性に優れた水切りワゴンを実現できることとなる。
【実施例】
【００２８】
本発明の具体的な実施例について図面に基づいて説明する。
【００２９】
本実施例（第一実施例）は、キャスター部２により自由に移動可能なワゴン本体３に設けた上部開口形収納部４内に水切部６（第二実施例では水切カゴ部７）を設けて、天板部１を開放して開口した上部開口部５から洗浄した器物を収納する上部開口形の水切収納部４に構成し、この上部開口形の水切収納部４を昇降自在に設けている。
【００３０】
具体的には、昇降ガイド部９に沿って水平を保ちつつ上下方向に昇降する上部開口形の底部に水切部６として水切台19を設けて水切り載置部を浮上状態に設け、この水切台19下方の底面を傾斜させて集水するように構成し、この最下部には集水排水口を設け、その下方に取り出し自在に受皿状の集水部８を設けている。
【００３１】
即ち、本実施例では、前記上部開口形の水切収納部４の水切部６の水切り載置部を浮上状態に設けた底部に集水部８を取り出し自在に設けて、前記上部開口形の水切収納部４で水切りした水を集水して取り出し排出し得るように構成している。
【００３２】
また、この上部開口形の水切収納部４の上部開口部５に天板部１を水平スライド自在に設け、天板部１を水平スライドさせて上部開口部５を開口するように構成している。また、天板部１を枢着して起伏回動自在に設けて起伏回動させることで開口するように構成しても良い。
【００３３】
また、図１３〜図１４に示す第二実施例のように水切収納部４内に取り出し自在に取手付きの水切カゴ部７を設けて水切収納部４を構成し、この水切カゴ部７により一挙に収納した器物を取り出しできるように構成しても良い。
【００３４】
また本実施例は、前記ワゴン本体３に設けた昇降ガイド部９に沿って鉛直方向に前記上部開口形の水切収納部４を昇降調整自在に設けて、天板部１の高さ（全体長）が流し台10のシンク11下スペース12に収納できる高さから前記シンク11脇の流し台10上面と略同一となる高さまで調整し得るように構成している。
【００３５】
具体的には、キャスター部２を設けたベース部13に昇降ガイド部９としてガイド支柱を立設し、この昇降ガイド部９に沿って方形箱状の前記上部開口形の水切収納部４を昇降自在に設けてこの収納部４及びこの収納部４の上部開口部５を開閉自在に閉塞した前記天板部１の高さを調整自在に構成している。
【００３６】
また、本実施例では、小形で簡易に構成できるガスシリンダ装置14をベース部13上に設け、収納部４を下方から押し上げる昇降機構16を設けている。
【００３７】
具体的には、ベース部13に収納部４を押し上げ付勢するシリンダ装置14を設け、前記収納部４の外部に設けた操作部15を操作して前記シリンダ装置14の押し上げ付勢ロック機構を解除させることで前記収納部４を押し上げ付勢しこの付勢力により若しくはこの付勢力を助力として持ち上げることにより収納部４を上昇させ、この付勢力に抗して自重により若しくは押し下げることにより収納部４を下降させ前記操作部15の操作により若しくは操作を止めることにより前記押し上げ付勢ロック機構によって昇降位置が固定される昇降機構16を備えている。
【００３８】
具体的には、押し上げ付勢ロック機構を解除することで突出付勢される昇降ロッド20を収納部４の下方に設けて押し上げ付勢するように構成し、解除操作する操作部15を収納部４の側部の取手21に並設し、この取手21と共にこれを握持する操作によって引き上げられるワイヤー26を介して解除部27が押動されて解除作動するように構成し、この取手21と共に操作部15を握持して解除した状態でこの押し上げ付勢を助力として持ち上げたり、これに抗して押し下げたりして作業し易い高さや収納時の高さに調整し操作部15の操作を止める。即ち、手を放すことで押し上げ付勢ロック機構が働き収納部４の調整位置が固定するように構成している。
【００３９】
また、本実施例は、前記シリンダ装置14の昇降ロッド20の昇降ストロークを増大させる昇降ストローク増大機構17を前記昇降機構16に設けている。
【００４０】
本実施例の昇降機構16は、前述のようにベース部13上にシリンダ装置14を立設し、このシリンダ装置14の昇降ロッド20を昇降させて収納部４を昇降ガイド部９に沿って昇降させるが、この昇降ロッド20のストロークを増大させる昇降ストローク増大機構17を設けている。
【００４１】
この昇降ストローク増大機構17は、前記昇降ロッド20に歯車22を設け、この歯車22には径大歯車部と径小歯車部とを設け、この径小歯車部を固定側の昇降ガイド部９のガイド支柱間に架設した取付桟23に設けた固定側ラック歯24に噛合し、径大歯車部を昇降側、即ち収納部４の背面部に設けた昇降側ラック歯25に噛合して、昇降ロッド20の昇降に対する収納部４の昇降量を昇降ロッド20の昇降と共に回転する歯車22の前記径大歯車部と径小歯車部との歯数比によって増大するように構成している。従って、小さいストロークの市販の安価なガスシリンダ装置14を採用しても大きな昇降ストロークを得られることとなる。
【００４２】
即ち、これにより小径でストロークの小さなシリンダ装置14、例えば前述のガスシリンダ装置14を用いても昇降ストロークは増大するから昇降範囲を広くでき、前述のように高さ調整範囲が広くなり、収納時のシンク11下のスペース12に収納できる低い高さから水切り収納作業時の流し台10の高さにまで調整可能となる。
【００４３】
更に具体的に説明すると、本実施例では、シリンダ装置14の押し上げ付勢ロック機構だけでなく、昇降位置を固定するための固定用噛合ストッパー28を、前記シリンダ装置14の昇降ロッド20に設けた歯車22に噛合・離脱自在に設け、前記操作部15を握持してワイヤー26を引き上げると、このワイヤー26を掛け回した滑車29が引き上げられることで前記固定用噛合ストッパー28が歯車22から離脱してロックが外れると共に、このワイヤー26が引き上げられることで滑車29を介してこのワイヤー26が連結するレバー30が引き下げられて、前記押し上げ付勢ロック機構の解除部27が押動されて昇降ロッド20が押し上げ付勢されることとなるように構成している。
【００４４】
また、本実施例では、前記上部開口形の水切収納部４とは別に第二水切収納部18を前記ワゴン本体３に設け、前記上部開口形の水切収納部４の底部に取り出し自在に設けた集水部８を前記ワゴン本体３の集水部８として共用した構成としている。
【００４５】
具体的に説明すると、本実施例の前記第二水切収納部18を下部を支点に側部外方へ傾動自在に設け、この側部外方への傾動により上部が開口する傾動開閉形の第二水切収納部18として前記上部開口形の水切収納部４に並設している。
【００４６】
従って、水切収納部４とは別に第二水切収納部18を設けたから、例えば水切収納部４には食器などを水切り保管し、第二水切収納部18には廃棄あるいは再利用するがその前に水切りしたいペットボトルやトレーなどを食器とは分離して水切りしながら保管でき、この水切収納部４及び第二水切収納部18で水を集水部８に集水して取り出し排出でき、水切収納部４と第二水切収納部18との出し入れ口とが別となり、またスペース効率良く配設できる。
【００４７】
尚、本発明は、第一実施例，第二実施例に限られるものではなく、各構成要件の具体的構成は適宜設計し得るものである。
【図面の簡単な説明】
【００４８】
【図１】本実施例の水切り収納作業時の説明斜視図である。
【図２】本実施例の第二水切収納部への水切り収納作業時の説明斜視図である。
【図３】本実施例のシンク下スペースの収納時の説明斜視図である。
【図４】本実施例の水切り収納作業時の説明側断面図である。
【図５】本実施例の天板を取り除いた説明正断面図である。
【図６】本実施例の上部の説明分解斜視図である。
【図７】本実施例の下部の説明分解斜視図である。
【図８】本実施例の昇降機構及び昇降ストローク増大機構を示す説明斜視図である。
【図９】本実施例の昇降機構及び昇降ストローク増大機構の作動を示す作動説明図である。
【図１０】本実施例の昇降機構の押し上げ付勢ロック機構の解除動作並びに固定用噛合ストッパーの動作などを示す説明斜視図である。
【図１１】本実施例の昇降機構の固定用噛合ストッパーの動作を示す説明正面図である。
【図１２】本実施例の昇降機構の押し上げ付勢ロック機構の解除動作並びに固定用噛合ストッパーの動作などを示す説明側面図である。
【図１３】第二実施例の説明側断面図である。
【図１４】第二実施例の説明分解斜視図である。
【符号の説明】
【００４９】
１  天板部
２  キャスター部
３  ワゴン本体
４  収納部，上部開口形収納部，上部開口形の水切収納部，水切収納部
５  上部開口部
６  水切部
７  水切カゴ部
８  集水部
９  昇降ガイド部
10  流し台
11  シンク
12  スペース
13  ベース部
14  シリンダ装置，ガスシリンダ装置
15  操作部
16  昇降機構
17  昇降ストローク増大機構
18  第二水切収納部
20  昇降ロッド
【図１】
2009297357.tif 000003
【図２】
2009297357.tif 000004
【図３】
2009297357.tif 000005
【図４】
2009297357.tif 000006
【図５】
2009297357.tif 000007
【図６】
2009297357.tif 000008
【図７】
2009297357.tif 000009
【図８】
2009297357.tif 000010
【図９】
2009297357.tif 000011
【図１０】
2009297357.tif 000012
【図１１】
2009297357.tif 000013
【図１２】
2009297357.tif 000014
【図１３】
2009297357.tif 000015
【図１４】
2009297357.tif 000016